(57)【要約】 【課題】  貼り付けシートをゴルフクラブのヘッドに貼り付けるだけで、ゴルフクラブに打球分析等に必要な情報発信機能を保有させることができるようにする。【解決手段】クラブヘッドに貼り付け可能な貼り付けシートには、圧電フイルムからなる打撃位置を検出する変換器と、変換器からの出力信号によって打撃位置情報を生成するＩタグからなる打撃位置検出回路と、打撃位置検出回路の出力信号を無線で出力するＩＣタグからなる入出力回路とが組み込まれている。情報処理部はボールをセットするティーの近傍に配置されるゴルフ練習マット台に内蔵された各種の電子機器からなり、貼り付けシートからの無線情報を受信し、この受信した情報から打球を分析し、分析した情報を無線で発信する。情報受信再生処理部は情報処理部からの無線情報を受信し、ディスプレイに表示したりプリントアウトする。【選択図】  図１
2014140543.tif 000002
【特許請求の範囲】
【請求項１】
打撃位置を検出する変換器と該変換器からの出力信号によって打撃位置情報を生成する打撃位置検出回路と該打撃位置検出回路の出力信号を無線で出力する入出力回路とが組み込まれたクラブヘッドに貼り付け可能な貼り付けシートと、
ボールをセットするティーの近傍に配置されるゴルフ練習マット台に内蔵された各種の電子機器からなり、前記貼り付けシートからの無線情報を受信し、この受信した情報から打球を分析し、分析した情報を無線で発信する情報処理部と、
前記情報処理部からの無線情報を受信し、ディスプレイに表示しプリントアウト可能な情報受信再生処理部と
から成るゴルフスイング練習装置。
【請求項２】
前記変換器が圧電フィルムであり、該圧電フィルムがゴルフクラブヘッドのフェース面に配置されるようにしたことを特徴とする請求項１に記載のゴルフスイング練習装置。
【請求項３】
前記打撃位置検出回路及びその入出力回路を前記シートに貼り付けたパッシブ型ＩＣタグで構成したことを特徴とする請求項１に記載のゴルフスイング練習装置。
【請求項４】
前記貼り付けシートにバーコードを配置し、前記ゴルフ練習マット台に、情報読取部が前記バーコードの情報を読み取ることができるようにしたことを特徴とする請求項１に記載のゴルフスイング練習装置。
【請求項５】
前記情報処理部は、スイングスピード、飛距離、打球方向、弾道を測定するための測定機とボール撮影用の映像録画装置と人物撮影用の映像録画装置を備えていることを特徴とする請求項１に記載のゴルフスイング練習装置。
【請求項６】
前記貼り付けシートのクラブヘッドのソールに貼り付けられる部分に角度罫線を表示し、前記ゴルフ練習マット台に情報読取部を設け、前記角度罫線の角度情報を読み取ることができるようにしたことを特徴とする請求項１に記載のゴルフスイング練習装置。
【発明の詳細な説明】
【技術分野】
【０００１】
本発明は、ゴルフスイング練習装置に関するものである。
【背景技術】
【０００２】
打球用具、特にゴルフクラブを用いたゴルフ用の各種のスイング練習装置が従来知られている（例えば特許文献１，２参照）。
【先行技術文献】
【特許文献】
【０００３】
【特許文献１】特開平１０−１１８２３８号公報
【特許文献２】特開２０１１−８３３５６号公報
【発明の概要】
【発明が解決しようとする課題】
【０００４】
従来の打撃情報を無線で発信するゴルフクラブ用のスイング練習装置は、ゴルフのクラブのヘッドやシャフト側に各種の電子装置を内蔵させ打球分析等受発信情報処理機能を保有させた構成となっている。これら電子装置を内蔵した練習用のゴルフクラブは、打球分析等受発信情報処理機能を保有させるためにヘッドやシャフトの加工作業が必要となり、この種のゴルフクラブの製作が容易でなかった。
本発明は、上記問題点を解決することを目的とする。
【課題を解決するための手段】
【０００５】
上記目的を達成するため、本発明は、打撃位置を検出する変換器と該変換器からの出力信号によって打撃位置情報を生成する打撃位置検出回路と該打撃位置検出回路の出力信号を無線で出力する入出力回路とが組み込まれたクラブヘッドに貼り付け可能な貼り付けシートと、ボールをセットするティーの近傍に配置されるゴルフ練習マット台に内蔵された各種の電子機器からなり、前記貼り付けシートからの無線情報を受信し、この受信した情報から打球を分析し、分析した情報を無線で発信する情報処理部と、前記情報処理部からの無線情報を受信し、ディスプレイに表示しプリントアウト可能な情報受信再生処理部とから成るものである。
また本発明は、前記変換器が圧電フィルムであり、該圧電フィルムがゴルフクラブヘッドのフェース面に配置されるようにしたことを特徴とする。
また本発明は、前記打撃位置検出回路及びその入出力回路を前記シートに貼り付けたパッシブ型ＩＣタグで構成したことを特徴とする。
また本発明は、前記貼り付けシートにバーコードを配置し、前記ゴルフ練習マット台に、情報読取部が前記バーコードの情報を読み取ることができるようにしたことを特徴とする。
また本発明は、前記情報処理部は、スイングスピード、飛距離、打球方向、弾道を測定するための測定機とボール撮影用の映像録画装置と人物撮影用の映像録画装置を備え、該人物撮影用の映像録画装置は軸ぶれ確認のためのラインが配置してあることを特徴とする。
また本発明は、前記貼り付けシートのクラブヘッドのソールに貼り付けられる部分に角度罫線を表示し、前記ゴルフ練習マット台に情報読取部を設け、前記角度罫線の角度情報を読み取ることができるようにしたことを特徴とするものである。
【発明の効果】
【０００６】
本発明は、貼り付けシートをゴルフクラブのヘッドに貼り付けるだけで、ゴルフクラブを加工することなくゴルフクラブに打球分析等に必要な情報発信機能を保有させることができる。
【図面の簡単な説明】
【０００７】
【図１】本発明の説明図である。
【図２】本発明の説明図である。
【図３】ゴルフクラブのヘッド部を示す説明図である。
【図４】本発明の説明図である。
【図５】本発明の説明図である。
【図６】本発明のブロック説明図である。
【図７】本発明のブロック説明図である。
【発明を実施するための形態】
【０００８】
以下に本発明の構成を添付した図面を参照して詳細に説明する。
本装置は、ゴルフクラブのヘッド２のフェイス２ａとソール２ｂとシャフトの根本１０に貼り付けられるヘッド用の貼り付けシート４と、受発信情報処理部６と、情報受信再生処理部８とより構成されている。ヘッド用の貼り付けシート４は、強度の高い可遡性の絶縁性合成樹脂材により構成されている。貼り付けシート４は、ゴルフクラブのヘッド２のフェイス２ａに貼り付けられる第１の部分４ａと、ヘッドのソール２ｂに貼り付けられる第２の部分４ｂと、シャフトの根本１０に貼り付けられる第３の部分４ｃとから成り、それぞれの裏面に貼り付け面が形成されている。
【０００９】
各部分は、それぞれ、貼り付けられるフェイス２ａ、ソール２ｂ、シャフトの根本１０の形状に対応した形状に形成されている。第１の部分４ａには、貼り付けシート４の裏面に圧電フィルム１２が接着されている。この圧電フィルム１２には、複数個の個別圧電センサ（図示省略）が配置され、各センサは、電線を介して貼り付けシート４の第３の部分４ｃに接着されたパッシブ型ＩＣタグ１４のＩＣチップに接続している。このＩＣチップには打撃位置検出回路１６と、発振回路１８とアンテナの付いた入出力回路２０が内蔵されている。第１の部分４ａの各圧電センサは、ゴルフクラブのヘッド２のフェイス２ａのスイートスポットとその周囲の各位置に対応し、圧電フイルム１２はフェイス２ａの各位置に加わるボールからの打撃力を電子信号に変換する変換器２２を構成している。
【００１０】
第２の部分４ｂの裏面には、保護シートを介してスターターコイル２４が接着配置され、配線を通し、第３の部分４ｃに配設されたパッシブ型ＩＣタグ１５のＩＣチップに接続している。第２の部分４ｂの表面には、ゴルフクラブ製造会社やクラブ番手情報などが符号化されたバーコード２６と、ヘッド角度検出用の角度罫線２８が描画されている。図４は、ゴルフスイング練習場所のボール配置位置に設けられた打球分析等受発信情報処理部６を示し、ボールセット用ティー３０の近傍に配置されたゴルフ練習マット台３２を備えている。
【００１１】
台３２には、パッシブ型ＩＣタグ用のリーダー/ライター３４、スイングスピード感知計測機３６ａ、飛距離計測機３６ｂ、打球方向計測機３６ｃ、弾道ライン計測機３６ｄ、映像録画装置３８、受・発信装置４２、記憶装置４３、打球分析回路４４、これらを制御する制御装置４０が内蔵され、台３２の適所には、これらの機器が外部から情報や画像を取り込み、あるいは外部に信号を発信するための入力部や出力部が設けられている。マット台３２の上面には、情報読取部４６の情報取り入れ口が設けられ、ヘッドソール２ｂ側の角度罫線２８やバーコード２６を読み取り、あるいは、スターターコイル２４を感知できるように構成されている。
【００１２】
スイングスピード感知計測機３６ａは、電波や赤外線を使用して、公知の方法により、ヘッドスピードを測定する。飛距離計測機３６ｂは変換器２２からの打撃情報やカメラ４８からのボール映像情報と打球分析回路４４の打球分析情報に基づいて飛距離を測定する。打球方向計測機３６ｃは、カメラ４８からのボール映像情報と打球分析回路４４の打球分析情報に基づいて打球方向を測定する。
【００１３】
弾道ライン計測機３６ｄは、カメラ４８からのボール映像情報と打球分析回路４４の打球分析情報に基づいて、ボールの弾道を測定する。映像録画装置３８のカメラ５２は、画像入力部を通じて、ボール打撃時の練習者の顔や頭部の移動の状態や姿勢、あるいは打球映像などを計測記録録画する。図４中、６４は台３２に描かれたセンターライン、６６は水平ラインである。
受発信情報理部６は、インターネット高速通信機能を持つ回線が設けてあり、事前登録した、スマートフォン５８、タブレット端末６０あるいはパソコン等で映像、データ情報を即座にモニターすることができる。情報受信再生処理部８は、ＵＳＢメモリやＳＤメモリーカードメモリーステックなどの各種メモリ５４、フリーハンド送受信機５６，スマートフォン５８，タブレット端末６０あるいはパソコンなどから構成される。フリーハンド送受信機５６は受発信情報処理部６内のシステムとの間で送受信することで、各種の操作ができる。又、フリーハンド送受信機５６とスマートフォン５８，タブレット端末６０あるいはパソコンなどとの間でも情報のやりとりを行うことができ、フリーハンド送受信機５６から発信された情報をスマートフォン５８，タブレット端末６０あるいはパソコンなどのディスプレイに表示することができる。また、ＵＳＢメモリやＳＤメモリ、メモリスティックなどの各種メモリ５４の使用も可能である。
【００１４】
上記した構成において、練習者がクラブのヘッド２を台３２に設けられた情報読取部４６の情報取り入れ口上に数秒間置くと、スターターコイル２４が感知され、且つバーコード２６の情報が読み取られるとともに、スタートランプ５２が点灯し、スイングスタート後の数十秒間の情報が打球分析等受発信情報処理部６の記憶装置４３に記録されることになる。
【００１５】
ティー３０上にセットしたボール６２を打つと、打撃情報が打撃位置検出回路１６から入出力回路２０を通じて情報処理部６に無線で送られ、リーダー／ライター３４により受信される。又、ヘッドフェース角度信号が情報読取部４６を通じて情報処理部６に送られる。情報処理部６は、各種電子機器によりゴルフクラブ製造社名、番手、型番、痛打フェイス角度、スイートスポット痛打情報、ヘッドスピード及び平均速度情報、飛距離及び平均飛距離情報、弾道方向情報、頭部移動有無情報、打球映像情報、無線イヤホーンアナウンス情報などを生成し記録する。
【００１６】
これらの情報は、情報処理部６の受・発信装置４２から情報受信再生処理部８のフリーハンド送受信機５６に送信され、フリーハンド送受信機５６で再生し、あるいは、プリントアウトし、あるいは、フリーハンド送受信機５６からスマートフォン５８、タブレット端末６０、パソコンなどに送信してこれらの再生装置で再生し、あるいは、プリントアウトして利用することができる。受発信情報処理部６は、ゴルフ練習マット台３２内に内蔵された複数のカメラ、受発信、打球分析、情報読み取り、情報解析処理装置などで「ドライバー痛打時の情報収集と記録再生」の情報を生成し、無線で、情報受信再生処理部８のフリーハンド送受信機５６に情報を送る。
【００１７】
フリーハンド送受信機５６に設けた、５０打、１００打、「採点試験トライアル」スイッチを押すと、受発信情報処理部６の全ての情報が集約採点され、映像画面と採点プリント（数値、グラフ、絵柄）としてわかりやすく１００点満点中、何点かがフリーハンド送受信機５６や他の情報受信再生処理部８の各種端末に表示やプリントされる。本装置のユーザーはこれらを保存することで上達の向上をはかることができる。
また、各ゴルフクラブメーカーの販売促進の一環として、新作ドライバーを提供してもらい、購入前のユーザーに実践形式の試し打ちを行うことができるので、ユーザーは自分にあったゴルフクラブを、自信と確信を持って選ぶことができる。又、無線でイヤホーンに痛打時の「掛け声」や「アドバイス」などの情報アナウンスメッセージを流し上達の後押しをする。
なお、本実施形態では、クラブヘッドのフェイス２ａの各位置に加わるボールからの打撃力を電子信号に変換する変換器２２を特開平１０−１１８２３８号公報等に開示された公知の圧電フイルム１２により構成しているが、特に変換器２２は圧電フイルムに限定されるものではなく、シートに微少なスイッチを内蔵した構成その他を採用することができる。
【符号の説明】
【００１８】
２      ヘッド
４      貼り付けシート
６      受発信情報処理部
８      情報受信再生処理部
１０    根本
１２    圧電センサ
１４    ＩＣタグ
１６    打撃位置検出回路
１８    発振回路
２０    入出力回路
２２    変換器
２４    スターターコイル
２６    バーコード
２８    角度罫線
３０    ティー
３２    ゴルフ練習マット台
３４    リーダー/ライター
３６ａ  スイングスピード感知計測機
３６ｂ  飛距離計測機
３６ｃ  打球方向計測機
３６ｄ  弾道ライン計測機
３８    映像録画装置
４０    制御装置
４２    受・発信装置
４３    記憶装置
４４    打球分析回路
４６    情報読取部
４８    カメラ    
５２    スタートランプ
５４    メモリ
５６    フリーハンド受信機
５８    スマートフォン
６０    タブレット端末
６２    ボール
【図１】
2014140543.tif 000003
【図２】
2014140543.tif 000004
【図３】
2014140543.tif 000005
【図４】
2014140543.tif 000006
【図５】
2014140543.tif 000007
【図６】
2014140543.tif 000008
【図７】
2014140543.tif 000009